(57)【特許請求の範囲】
【請求項１】
テンプ（１）を有し、前記テンプ（１）が正規の振れ角を越えて回転するのを阻止する、時計の脱進機のトリップ防止装置において、
前記テンプ（１）に取り付けられた真（２）が、かな（３）を具備し、
前記かな（３）は、回転方向の如何を問わず、前記テンプ（１）が正規の振れ角を越えて回転するのを阻止する回転阻止手段（４）とかみ合う
ことを特徴とする時計ムーブメント用のトリップ防止装置。
【請求項２】
前記回転阻止手段（４）は、前記かな（３）とかみ合う歯車（５）を有し、前記テンプ（１）が正規の振れ角を越えて回転するときには、固定された停止部材（８）に当たる少なくとも１本のスポーク（６、７）を具備する
ことを特徴とする請求項１記載のトリップ防止装置。
【請求項３】
前記回転阻止手段（４）は、ラック（９）を形成する回転可能な歯付きセクタを有し、前記テンプ（１）が正規の振れ角を越えて駆動されたときには、固定された停止部材（８）に当たる２本のエンド・スポーク（１０、１１）を具備する
ことを特徴とする請求項１記載のトリップ防止装置。
【請求項４】
前記停止部材（８）は、時計のプレート（１５）に固定されたピン（１３、１４）である
ことを特徴とする請求項２または３記載のトリップ防止装置。
【請求項５】
前記かな（３）と、前記かな（３）により駆動される回転阻止手段（４）との間のギア比は、０．２４である
ことを特徴とする請求項１記載のトリップ防止装置。
【発明の詳細な説明】
【技術分野】
【０００１】
本発明は、時計の脱進機のトリップ防止装置に関し、特に、ヒゲゼンマイを有し、テンプが正規の振れ角を越えて回転するのを防止する装置に関する。
【背景技術】
【０００２】
いくつかのトリップ防止装置が特許文献に開示されている。これらのトリップ防止装置の１つは、非特許文献１にも開示されている。特に、同文献のパラグラフ１１６−１２０（ページ７４−７７）と図２５を参照されたい。このトリップ防止装置は、複数のコイルから形成されるヒゲゼンマイと、少なくとも1本のアームを具備するテンプを有する脱進機で実現されている。テンプ／ガンギ車は、プレートとブリッジの間に回転可能に搭載されている。このトリップ防止装置は、テンプのアームに固定されたフィンガと、２本のコラム（柱）と、ロッキング・アームとを有する。この２本の柱の間をテンプが動作中にフィンガが通過する。これらの柱は、テンプのブリッジに固定されている。ロッキング・アームは、ヒゲゼンマイの外側のコイルに固定されている。このロッキング・アームは、コラム（柱）とフィンガの間に挿入され、テンプがその正規の振れ角を越えて回転するのを阻止する。
【０００３】
【特許文献１】欧州特許第Ａ１５３８４９１号明細書
【非特許文献１】"Der Chronometer Gang" by Professor Alois Lrk and published by Deutsche Uhrmacher Zeitung, Berlin 1923
【０００４】
このトリップ防止装置は、いわゆる「つめ付き脱進機（detent escapement）」と称し、大きな時計（例えば海洋時計）に適したものである。これらの時計は、非常に高精度であると評価され、つめ付き脱進機は、その高精度ゆえに公知であり、しばしば用いられている。しかしこの脱進機には大きな欠点がある。ショック（衝撃）に弱いことである。従って、腕時計には適さないとされている。実際、時計に加わる衝撃により、テンプが正規の振れ角を越えて回転することがある。これにより、２回のロック解除と２回のパルスが同一振動の間に発生するため、トリップが、少なくともテンプの一回転方向に発生する、
【０００５】
小型の時計（例、腕時計）に「つめ付き脱進機」を適用して、従来のスイス・レバー脱進機を置換し、このつめ付き脱進機による利点を享受しようとする場合には、従来とは異なる新たな技術を用いて、この欠点を回避しなければならない。さまざまな解決方法が提案され、これにより、「つめ付き脱進機」のつめにかかる力に打ち勝つために、腕時計のヒゲゼンマイによるエネルギーの不足を補償しようとしている。これらの解決方法の一例が特許文献１に開示されている。しかし、トリップの問題は依然として残り、小型のヒゲゼンマイ（例えば腕時計に搭載されるようなもの）を用いる場合には、この問題を解決しなければならない。
【０００６】
非特許文献１により提案された解決方法を腕時計に適用すると、少なくとも２つの欠点がある。第１の欠点は、柔軟性／弾性部材（この場合ヒゲゼンマイの外側コイル）に固定されるロッキング要素を使用することである。これは、機械的な解決方法ではなく、ヒゲゼンマイの柔軟性に関連するあらゆる種類の予期せぬ未知の力がかかり、これにより、時計に衝撃が加わった後、予期せぬ方向に変形することである。第２の欠点は、非特許文献１のシステムでは、テンプの一回転方向（ヒゲゼンマイの最大拡張方向）にのみ動作する点である。他の方向（ヒゲゼンマイの収縮方向）に対しては、脱進機はトリップしてしまい、非特許文献１のシステムは十分ではない。
【発明の開示】
【課題を解決するための手段】
【０００７】
上記の欠点を解決するために、本発明は、次のような構成を有する。
付記１  
テンプ１を有し、前記テンプ１が正規の振れ角を越えて回転するのを阻止する、時計の脱進機のトリップ防止装置において、
前記テンプ１に取り付けられた真２が、かな３を具備し、
前記かな３は、回転方向の如何を問わず、前記テンプ１が正規の振れ角を越えて回転するのを阻止する回転阻止手段４とかみ合う
ことを特徴とする時計ムーブメント用のトリップ防止装置。
付記２
前記回転阻止手段４は、前記かな３とかみ合う歯車５を有し、前記テンプ１が正規の振れ角を越えて回転するときには、固定された停止部材８に当たる少なくとも１本のスポーク６、７を具備する
ことを特徴とする付記１記載のトリップ防止装置。
付記３  
前記回転阻止手段４は、ラック９を形成する回転可能な歯付きセクタを有し、前記テンプ１が正規の振れ角を越えて駆動されたときには、固定された停止部材８に当たる２本のエンド・スポーク１０、１１を具備する
ことを特徴とする付記１記載のトリップ防止装置。
付記４  
前記停止部材８は、時計のプレート１５に固定されたピン１３、１４である
ことを特徴とする付記２または３記載のトリップ防止装置。
付記５  
前記かな３と、前記かな３により駆動される回転阻止手段４との間のギア比は、０．２４である
ことを特徴とする付記１記載のトリップ防止装置。
【実施例】
【０００８】
図は、本発明のトリップ防止装置の２つの実施例を示す。このトリップ防止装置は時計の脱進機用で、特にこれに限定されるものではないが、つめ付き脱進機用である。図には、本発明の理解に必要なその一部の要素（すなわちテンプ１）のみを示す。本発明のトリップ防止装置は、テンプが正規の振れ角を越えて回転するのを阻止する。
【０００９】
ここに開示された「つめ付き脱進機」は、本発明のトリップ防止装置が適用される一実施例である。このつめ付き脱進機は図示しない以下の要素を含むが、これらの要素は、特許文献１に開示されている。すなわち、ロッキング用のアンクル石上に停止する歯を具備するガンギ車と、ブレーキレバーとを有する。このブレーキレバーは、その第１端に前記のロッキング用アンクル石と、その第２端に第１の駆動フィンガとを有する。この第１の駆動フィンガは、テンプに固定されたプレートが具備する第２駆動フィンガにより駆動される。このプレートは、さらにガンギ車の歯からの推進力を受ける推進アンクル石を具備する。テンプの各振動時に、ロッキング用のアンクル石は、ガンギ車の歯から解放され、ガンギ車の別の歯が、推進アンクル石に作用／動作してテンプに推進力を与える。この第２駆動フィンガは、ブレーキレバーの第1フィンガをテンプの一回転方向にのみ駆動するよう配置される。すなわち、推進力が発生した後、振動の第１振動の間である。テンプが反対方向に回転するとき、すなわち振動の第２の振動の間、テンプの第１フィンガは、駆動されない。その理由は、プレートが具備する第２フィンガが収縮し、その後推進力が生成されないからである。
【００１０】
上記の説明から明らかなように、第１振動によりテンプが正規の振れ角（３２０度）を超えて回転すると（例えば時計に加わった衝撃の結果）、ブレーキレバーの第１フィンガは２回駆動される。この２回目の推進力が同一の振動の間に生成されると、脱進機はトリップする。２回目の振動によりテンプが正規の振れ角を超えて回転すると、プレートが具備した第２フィンガは２回収縮し、その後、プレートの回転方向を変えることにより前記の第２フィンガによりロッキング・アンクル石が解放され、その後、望ましくない推進力により、かくしてテンプの同期をはずすことになる。
【００１１】
テンプの所望以上の回転を阻止して上記の欠点を回避するために、本発明は、テンプ１に取り付けられた真２が、かな３を具備し、このかな３は、回転方向の如何を問わず、前記テンプ１が正規の振れ角を越えて回転するのを阻止する回転阻止手段４とかみ合う。
【００１２】
図１、２は、本発明の第１実施例を示す。同図において、回転阻止手段４は、テンプ１が正規の振れ角を越えて回転するのを阻止する。テンプ１は、歯車５を有する。この歯車５は、テンプ１の真２により具備されるかな（ピニオン）３とかみ合う。この歯車５は、少なくとも２本のスポーク６、７を有し、スポーク６、７が、テンプ１が正規の振れ角を越えて回転したときに、固定された停止部材８に当たる。図２は、停止部材８がプレート１５内に固定されたピン１３であることを示すより詳細な説明図である。
【００１３】
図３、４は、本発明の第２実施例を示す。同図において、回転阻止手段４は、テンプ１が正規の振れ角を越えて回転するのを阻止し、ラック９で形成される回転可能な歯の付いたセクタの１つから構成される。このラック９は、２本のエンド・スポーク１０、１１を有し、エンド・スポーク１０、１１は、テンプ１がその正規の振れ角を越えて回転したときに、停止部材８に当たる。図４は、停止部材８がプレート１５内にねじ込まれたピン１４であることを示す詳細図である。
【００１４】
この両方の実施例に対し、歯車５のスポーク６、７と、ラック９のエンド・スポーク１０、１１が、その回転方向に関わらず、テンプ１が正規の動作角を越えて回転するのを阻止する。これは、上記の非特許文献１で提案されたシステム（このシステムではテンプの一回転方向のみ制限可能である）より利点がある。本発明は、テンプとその移動を制限する手段との間に剛性結合と称する機械的結合によっている。その理由は、この機械結合は非特許文献１で提案された弾性素子を使用していないからである。
【００１５】
一例として、この２つの実施例においては、テンプ１のかな３は９個のウイング（歯）を含んでいる。図１の歯車５とかな３のラック９（完全な歯車の一部と見た場合）は、それぞれ３８枚の歯を有し、それ故に、ギア比は９／３８＝０．２４である。前述したように、テンプの正規の振れ角は、約３２０度である。このことは、図３のラック９は３２０×０．２４＝７６．８度回転することになる。図３に示すように、ラック９の回転を角度＝約８０°に、制限することにより、脱進機は適正に動作し、トリップを阻止する。この制限は、エンド・スポーク１１はピン１４に当たったときに起きる。同じことが、テンプの反対方向の回転に対しても言え、そこではエンド・スポーク１０がピン１４に当たる。同一の角８０°である（図示せず）。
【００１６】
歯車５またはラック９が、常時動くテンプのかな３と永久にかみ合っているので、このような要素の材料は、非常に低い摩擦係数のものを選択することが重要である。経験上、かな３が鋼製で、歯車５またはラック９が、真鍮製であるのが好ましい。
【００１７】
この２つの実施例のうち、ラック９を歯車５よりも軽くすることが好ましい。すると、ラック９のバランスの問題が発生する。図３は、ラック９の歯に対向して回転中心にできるだけ近く配置するカウンタ・ウエイト１６を用い、組み立て全体の慣性モーメントを下げている。
【００１８】
本発明の変形例によれば（図示せず）、歯車５は、1本のアーム／スポークのみを具備することも可能である。この場合、この歯車５とかな（ピニオン）３のギア比は、テンプが、正規の振れ角を越えて駆動したときには、アーム／スポークが停止部材８に当たるように設定する。
【００１９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００２０】
【図１】本発明の第１実施例のトリップ防止装置の平面図。
【図２】図１の実施例の断面図。
【図３】本発明の第２実施例のトリップ防止装置の平面図。
【図４】図３の実施例の断面図。
【符号の説明】
【００２１】
１    テンプ
２    真
３    かな（ピニオン）
４    回転阻止手段
５    歯車
６，７  スポーク
８    停止部材
９    ラック
１０，１１  エンド・スポーク
１３，１４  ピン
１５  プレート
１６  カウンタ・ウエイト
【図１】
0004795218.tif 000002
【図２】
0004795218.tif 000003
【図３】
0004795218.tif 000004
【図４】
0004795218.tif 000005